(57)【要約】【課題】ユーザが握りやすく、十分な強度を有し、デザイン性が高く、さらに低コストで作製できる手摺用ブラケットを提供する。【解決手段】手摺用ブラケット１００は内部に空洞部２１を有し、一端が手摺棒と係合され、他端が壁面に当接されて設置される。この手摺用ブラケット１００は、一端に形成された、手摺棒と係合するための係合部１と、係合部１と一体であり、他端を含む曲部２とを備える。手摺用ブラケット１００において、一端の端面１ａと他端の端面３ａとは略直交し、一端の端面１ａは略円形であり、曲部２は、その中心軸に対して垂直な面において、曲部２が曲がる方向に沿った短軸を備える略楕円形である断面外形を有する。【選択図】図１
0003185805.tif 000002
【実用新案登録請求の範囲】
【請求項１】
一端が手摺棒と係合され、他端が壁面に当接されて設置される、内部に空洞部を有する手摺用ブラケットであって、
前記一端に形成された、前記手摺棒と係合するための係合部と、
前記係合部と一体であり、前記他端を含む曲部とを備え、
前記一端の端面と前記他端の端面とは略直交し、
前記一端の端面は略円形であり、
前記曲部は、該曲部の中心軸に対して垂直な面において、前記曲部が曲がる方向に沿った短軸を備える略楕円形である断面外形を有する、ことを特徴とする手摺用ブラケット。
【請求項２】
前記曲部の前記断面の外形における短軸の長さを長軸の長さで除した値は、０．７８５以上であり、０．９以下である、請求項１に記載の手摺用ブラケット。
【請求項３】
前記曲部の前記断面の外形における短軸の長さを長軸の長さで除した値は、０．６７以上であり、０．７５１以下である、請求項１に記載の手摺用ブラケット。
【請求項４】
前記他端の端面は、前記曲部が曲がる方向に沿った短軸を有する略楕円形である、請求項１〜３のいずれかに記載の手摺用ブラケット。
【請求項５】
前記他端の端面は、前記曲部が曲がる方向に沿った短軸を有する略楕円形であり、
前記他端の端面における短軸の長さを長軸の長さで除した値は、０．７８５以上であり、０．９以下である、請求項２に記載の手摺用ブラケット。
【請求項６】
前記他端の端面は、前記曲部が曲がる方向に沿った短軸を有する略楕円形であり、
前記他端の端面における短軸の長さを長軸の長さで除した値は、０．６７以上であり、０．７５１以下である、請求項３に記載の手摺用ブラケット。
【請求項７】
前記曲部の一部分であるカバー部が着脱自在であり、
前記カバー部をはずすことにより前記空洞部が外部に露呈し、
前記一端において前記空洞部から外部に向かって、係合部材を貫通させることが可能であり、
前記他端において前記空洞部から外部に向かって、係合部材を貫通させることが可能である、
請求項１〜６のいずれかに記載の手摺用ブラケット。
【考案の詳細な説明】
【技術分野】
【０００１】
本考案は、壁面に手摺棒を取り付ける際に用いる手摺用ブラケットに関するものである。
【背景技術】
【０００２】
特に高齢者向けとして、住宅等の階段、廊下、トイレおよび浴室等に手摺棒を設置することが行われている。高齢者は若年者に比べると身体能力が低く、普段の生活における動作であっても困難であったり、転倒しやすくけがをする危険性が高い。手摺棒を設置することにより、ユーザは楽に動作することができ、転倒の危険性も減少し、安全な生活を送ることができる。
【０００３】
例えば、ユーザは手摺棒を持ちながら歩行することにより、廊下等で滑ったり、よろけて転倒することを防ぐことができる。特に、階段の上り下りは足に負荷がかかり、高齢者でなくても大変な作業であり、転落の危険もある。手摺棒が設置されていることにより負担が少なく、転落等の事故を防ぐことができる。また、トイレや浴室等のように立ち座り動作が必要な場所でも、手摺棒が設置されていれば安全かつ楽に動作を行うことができる。また、高齢者は若年者に比べると視力も低下するため、暗い場所での歩行も困難であり、停電等の際も手摺棒が設置されていることは有効である。
【０００４】
このような手摺棒は、ユーザが握りやすいことが好ましく、例えば手摺棒を握る手が滑って手摺棒から離れてしまってはかえって危険であり、ユーザがけがをする可能性がある。また、手摺棒は十分な強度を有することが必要である。ユーザの全体重あるいはそれ以上の重量が手摺棒にかかる場合もあるため、手摺棒が簡単に破損しないように十分な強度を有することが必要である。もし、ユーザの全体重がかかった状態で手摺棒が折れてしまっては、大けがにつながる可能性もある。また、手摺棒は住宅内に設置されるものであることから、装飾品としての側面も持ち合わせており、握りやすさや強度といった実用的な面だけでなく、デザイン性が高いことが好ましい。
【０００５】
手摺棒は、壁面に手摺用ブラケットを固着し、この手摺用ブラケットに手摺棒を固着することで設置する。つまり、手摺棒は手摺用ブラケットと一体となって壁面に設置される。したがって、手摺棒だけでなく手摺用ブラケットについても、上述したように握りやすいことが好ましく、十分な強度を有することが必要であり、デザイン性が高いことが好ましい。
【考案の概要】
【考案が解決しようとする課題】
【０００６】
従来より、握りやすさ、強度およびデザイン性を考慮した手摺用ブラケットは種々提案されてきている。しかし、ユーザは、現在提案されている手摺用ブラケットでは満足しておらず、さらに握りやすく、十分な強度を有し、デザイン性の高い手摺用ブラケットを求めている。
【０００７】
また、手摺用ブラケットを作製する際のコストについてもできるだけ低く抑えることが望まれる。しかし、手摺用ブラケットに用いる材料を単に減少することとすれば、減少した分だけコストが低下するが、強度の低下につながりかねない。そこで、用いる材料が少なくても十分な強度を有する手摺用ブラケットの開発が望まれている。
【０００８】
本考案は上述の問題点に鑑みなされたものであり、ユーザが握りやすく、十分な強度を有し、デザイン性が高く、さらに低コストで作製できる手摺用ブラケットを提供することを目的とする。
【課題を解決するための手段】
【０００９】
本考案に係る手摺用ブラケットの一形態は、一端が手摺棒と係合され、他端が壁面に当接されて設置される、内部に空洞部を有する手摺用ブラケットであって、前記一端に形成された、前記手摺棒と係合するための係合部と、前記係合部と一体であり、前記他端を含む曲部とを備え、前記一端の端面と前記他端の端面とは略直交し、前記一端の端面は略円形であり、前記曲部は、該曲部の中心軸に対して垂直な面において、前記曲部が曲がる方向に沿った短軸を備える略楕円形である断面外形を有する、ことを特徴とする。
【００１０】
このような構成を有することから、この手摺用ブラケットは、握りやすく、十分な強度を有している上、デザイン性も高い。したがって、握力の弱った高齢者であっても使いやすい。また、デザイン性が高く、スペースを取らないことから、住宅内に設置しても美観を損なうことがない。この手摺用ブラケットを用いて住宅内に手摺棒を設置することにより、転倒等の事故を防ぐことができ、ユーザは安全に生活することができる。さらに、この手摺棒は、低コストで作製することができる。
【００１１】
また、上記手摺用ブラケットにおいて、前記曲部の前記断面の外形における短軸の長さを長軸の長さで除した値は、０．７８５以上であり、０．９以下としてもよい。
【００１２】
このような構成を有することから、手摺用ブラケットは、握りやすく、十分な強度を有している上、デザイン性も高い。そして、低コストで作製することができる。
【００１３】
また、上記手摺用ブラケットにおいて、前記曲部の前記断面の外形における短軸の長さを長軸の長さで除した値は、０．６７以上であり、０．７５１以下としてもよい。
【００１４】
このような構成を有することから、手摺用ブラケットは、握りやすく、十分な強度を有している上、デザイン性も高い。そして、低コストで作製することができる。
【００１５】
また、上記手摺用ブラケットにおいて、前記他端の端面は、前記曲部が曲がる方向に沿った短軸を有する略楕円形であることとしてもよい。
【００１６】
このような構成を有することから、手摺用ブラケットは、握りやすく、十分な強度を有している上、デザイン性も高い。そして、低コストで作製することができる。
【００１７】
また、上記手摺用ブラケットにおいて、前記他端の端面は、前記曲部が曲がる方向に沿った短軸を有する略楕円形であり、前記他端の端面における短軸の長さを長軸の長さで除した値は、０．７８５以上であり、０．９以下としてもよい。
【００１８】
このような構成を有することから、手摺用ブラケットは、握りやすく、十分な強度を有している上、デザイン性も高い。そして、低コストで作製することができる。
【００１９】
また、上記手摺用ブラケットにおいて、前記他端の端面は、前記曲部が曲がる方向に沿った短軸を有する略楕円形であり、前記他端の端面における短軸の長さを長軸の長さで除した値は、０．６７以上であり、０．７５１以下としてもよい。
【００２０】
このような構成を有することから、手摺用ブラケットは、握りやすく、十分な強度を有している上、デザイン性も高い。そして、低コストで作製することができる。
【００２１】
また、上記手摺用ブラケットにおいて、前記曲部の一部分であるカバー部が着脱自在であり、前記カバー部をはずすことにより前記空洞部が外部に露呈し、前記一端において前記空洞部から外部に向かって、係合部材を貫通させることが可能であり、前記他端において前記空洞部から外部に向かって、係合部材を貫通させることが可能であることとしてもよい。
【００２２】
このような構成を有することから、壁面および手摺棒と固着するための係合部材が空洞部内に位置することとなり、外部に露呈することがない。これにより、デザイン性が高く、美観を損なうことがない。また、係合部材が外部に露呈しないため、ユーザの着衣に係合部材が引っかかるといった不具合が生じることもない。
【考案の効果】
【００２３】
本考案によれば、ユーザが握りやすく、十分な強度を有し、デザイン性が高く、さらに低コストで作製できる手摺用ブラケットを提供することができるという効果を奏する。
【図面の簡単な説明】
【００２４】
【図１】本考案の実施形態に係る手摺用ブラケットの構成を示す斜視図である。
【図２】本考案の実施形態に係る手摺用ブラケットを用いて手摺棒を設置した状態を示す図である。
【図３】本考案の実施形態に係る手摺用ブラケットの構成を示す側面図である。
【図４】本考案の実施形態に係る手摺用ブラケットの構成を示す正面図である。
【図５】本考案の実施形態に係る手摺用ブラケットの構成を示す底面図である。
【図６】本考案の実施形態に係る手摺用ブラケットの曲部の断面について説明するための図である。
【図７】本考案の実施形態に係る手摺用ブラケットの曲部の断面の外形について説明するための図である。
【図８】本考案の実施形態に係る手摺用ブラケットの構成を示す分解斜視図である。
【図９】本考案の実施形態に係る手摺棒の設置態様を説明するための図である。
【図１０】本考案の他の実施形態に係る手摺用ブラケットの構成を示す斜視図である。
【考案を実施するための形態】
【００２５】
本考案の実施形態に係る手摺用ブラケットについて図を用いて説明する。図１は、本考案の実施形態に係る手摺用ブラケットの構成を示す斜視図である。図２は、本考案の実施形態に係る手摺用ブラケットを用いて手摺棒を設置した状態を示す図である。
【００２６】
図１に示すように、手摺用ブラケット１００は係合部１と、係合部１と一体である曲部２とを備えている。係合部１は手摺用ブラケット１００の一端に位置し、曲部２は手摺用ブラケット１００の他端を含む。また、曲部２の一部はカバー部４であり、カバー部４は手摺用ブラケット１００から着脱自在である。また、手摺用ブラケット１００の内部には空洞部２１が形成されている。
【００２７】
図２に示すように、手摺棒２００を壁面３００に設置する際に、手摺用ブラケット１００がこれらを連結するための部材となる。手摺棒２００を壁面３００に設置する場合は、手摺棒２００が手摺用ブラケット１００の係合部１と係合される。また、手摺用ブラケット１００における係合部１の反対側の端部（他端）の端面３ａが壁面３００に当接して固着される。
【００２８】
手摺用ブラケット１００は、上述したように手摺棒２００と壁面３００とを連結するための部材であるが、これ以外に手摺棒２００と同様に、ユーザが歩行や立ち座りの際につかむ部材である。したがって、ユーザにとって握りやすく、十分な強度を有することが好ましい。また、デザイン性が高いものが好まれる。さらに、低コストで作製できることが好ましい。
【００２９】
図３〜５を用いて、さらに、手摺用ブラケット１００について詳細に説明する。図３は、本考案の実施形態に係る手摺用ブラケットの構成を示す側面図である。また、図４は、本考案の実施形態に係る手摺用ブラケットの構成を示す正面図である。また、図５は、本考案の実施形態に係る手摺用ブラケットの構成を示す底面図である。
【００３０】
特に図３に示すように、手摺用ブラケット１００において、一方の端部の端面１ａと他方の端部の端面３ａとは、略直角に交わっている。なお、端面１ａの形状は略円形であり、端面３ａの形状は略楕円形である。端面１ａおよび端面３ａが略直交していることから、手摺棒２００を設置した際に、手摺棒２００は壁面３００と略平行に設置されることになる。
【００３１】
また、特に図４に示すように、係合部１は手摺用ブラケット１００の一端に位置し、中央部分に凹部１５を有している。手摺用ブラケット１００が手摺棒２００に係合される際には、この凹部１５に手摺棒２００が嵌まり込む。なお、端面１ａは略円形である。係合部１に形成された貫通孔１１は、手摺用ブラケット１００の内部に形成された空洞部２１（図３参照）と外部とを結ぶ孔である。手摺用ブラケット１００が手摺棒２００に係合される際に、空洞部２１側から貫通孔１１を貫通したねじを、係合部１の凹部１５に嵌まり込んだ手摺棒２００に向けてねじ込むことにより、手摺用ブラケット１００と手摺棒２００とが固着される。なお、手摺用ブラケット１００と手摺棒２００との係合についての具体的な方法は、後から詳述する。
【００３２】
また、特に図５に示すように、端面３ａは手摺用ブラケット１００の曲部２側の端面である。上述したように、端面３ａは略楕円形をしている。端面３ａは、端面１ａに対して垂直な方向に沿った短軸を有している。端面３ａに形成された貫通孔３１は、手摺用ブラケット１００の内部に形成された空洞部２１（図３参照）と外部とを結ぶ孔である。手摺用ブラケット１００が壁面３００に固着される際には、端面３ａが壁面３００に当接した状態で、空洞部２１側から貫通孔３１を貫通したねじを壁面３００に向けてねじ込むことにより、手摺用ブラケット１００と壁面３００とが固着される。なお、手摺用ブラケット１００と壁面３００との固着についての具体的な方法は、後から詳述する。
【００３３】
次に、図を用いて曲部の断面形状について説明する。図６は、本考案の実施形態に係る手摺用ブラケットの曲部の断面について説明するための図である。具体的には、曲部２の断面の位置を説明するための図であり、手摺用ブラケット１００の概略側面図である。また、図７は、本考案の実施形態に係る手摺用ブラケットの曲部の断面の外形について説明するための図である。具体的には、図６で示したＡ−Ａ矢視断面図である。
【００３４】
図６に示すように、曲部２においてその中心軸２３に対して垂直な面の断面は、図７に示される。図７に示すように、曲部２の断面の外形は略楕円形である。より具体的には、曲部２の中心軸２３に対して垂直な面による断面の外形は、曲部２が曲がる方向に沿った短軸を有する略楕円形である。なお、曲部２が曲がる方向とは、図６に示すように、手摺用ブラケット１００を側面視した場合に、中心軸２３に対して垂直な方向ということもできる。曲部２の断面の外形はこの方向に沿った短軸を有する略楕円形である。
【００３５】
また、曲部２の断面の外形の短軸の長さＤと、曲部２の断面の外形の長軸の長さＷとの間には、以下に示す式（１）の関係があることが好ましい。
０．７８５≦Ｄ／Ｗ≦０．９  （１）
短軸の長さＤと長軸の長さＷとの間に式（１）の関係がある場合は、ユーザが曲部２を握りやすい。また、式（１）の関係がある場合には、手摺用ブラケット１００の強度が高い。例えば、曲部２の断面の外形を円形や角形にした場合と同様の強度を有する。そのため、手摺用ブラケット１００の材料を減少させても、十分な強度を保つことができる。具体的には、空洞部２１の容量を大きくすればよい。材料を減少させることができることから、手摺用ブラケット１００は低コストで作製することができる。
【００３６】
また、曲部２の断面が略楕円形状であることから、見る方向によって曲部２の厚みが変化することになり、デザイン性も高いといえる。また、見る方向によっては曲部２の厚みが非常に薄く見える。特に、式（１）の関係がある場合には、曲部２は握りやすいように十分な太さがあるにもかかわらず、見かけ上はスリムに見えるため、手摺用ブラケット１００のデザイン性が高いといえる。また、強度に優れており、把持もしやすい。
【００３７】
また、曲部２の断面の外形の短軸の長さＤと、曲部２の断面の外形の長軸の長さＷとの間には、以下に示す式（２）の関係があることとしても好ましい。
０．６７≦Ｄ／Ｗ≦０．７５１  （２）
短軸の長さＤと長軸の長さＷとの間に式（２）の関係がある場合は、ユーザが曲部２を握りやすい。また、式（２）の関係がある場合には、手摺用ブラケット１００の強度が高い。例えば、曲部２の断面の外形を円形や角形にした場合と同様の強度を有する。そのため、手摺用ブラケット１００の材料を減少させても、十分な強度を保つことができる。具体的には、空洞部２１の容量を大きくすればよい。材料を減少させることができることから、手摺用ブラケット１００は低コストで作製することができる。
【００３８】
また、曲部２の断面が略楕円形状であることから、見る方向によって曲部２の厚みが変化することになり、デザイン性も高いといえる。また、見る方向によっては曲部２の厚みが非常に薄く見える。特に、式（２）の関係がある場合には、曲部２は握りやすいように十分な太さがあるにもかかわらず、見かけ上はスリムに見えるため、手摺用ブラケット１００のデザイン性が高いといえる。より把持しやすく、強度上も問題がない。
【００３９】
例えば、長軸の長さＷが３９ｍｍであり短軸の長さＤが３２ｍｍとすればよい。これは、式（１）の関係を満たす。また、長軸の長さＷが３９ｍｍであり短軸の長さＤが２８ｍｍとすればよい。これは、式（２）の関係を満たす。
【００４０】
曲部２の断面の形状は、その位置により多少変化することがあるが、上記式（１）または式（２）の範囲とすることが好ましい。また、端面３ａの形状も略楕円であり、この長軸の長さと短軸の長さとの関係も式（１）または式（２）を満たすことが好ましい。それにより、曲部２と端面３ａとの形状が大きく異なることがなく、ユーザに美感を起こさせ、デザイン性が高いといえる。なお、端面３ａも、曲部２が曲がる方向に沿った短軸を有する略楕円形とすればよい。
【００４１】
次に、手摺用ブラケット１００を用いて、手摺棒２００を設置する方法について、図を用いて具体的に説明する。図８は、本考案の実施形態に係る手摺用ブラケットの構成を示す分解斜視図である。図９は、本考案の実施形態に係る手摺棒の設置態様を説明するための図である。
【００４２】
手摺用ブラケット１００において、カバー部４は着脱自在であり、図８に示すように、手摺用ブラケット１００からカバー部４をはずすことができる。手摺用ブラケット１００においてカバー部４をはずすことにより、手摺用ブラケット１００の内部に形成された空洞部２１が露呈する。この状態で、手摺用ブラケット１００と手摺棒２００との固着および手摺用ブラケット１００と壁面３００との固着を行えばよい。
【００４３】
図９で示すように、係合部１の凹部１５に手摺棒２００の端部を嵌め込んだ状態で、カバー部４をはずすことにより露呈した空洞部２１側からねじ１２を貫通孔１１に通し、凹部１５に嵌まり込んだ手摺棒２００の端面にねじ込むことにより、手摺用ブラケット１００と手摺棒２００とが固着する。また、端面３ａを壁面３００に当接した状態で、カバー部４をはずすことにより露呈した空洞部２１側からねじ３２を貫通孔３１に通し、壁面３００にねじ込むことにより、手摺用ブラケット１００と壁面３００とが固着する。
【００４４】
このようにして、手摺用ブラケット１００が手摺棒２００および壁面３００のいずれとも固着した後、カバー部４を再び手摺用ブラケット１００に取り付ける。これにより、ねじ１２およびねじ３２は外部に露呈することなく、ユーザから見えることはないため、デザイン性が高い。また、手摺棒２００の設置作業は容易に行うことができ、作業時間も短くできる。
【００４５】
また、ねじ１２およびねじ３２が外部に露呈していないことから、ねじ１２およびねじ３２がユーザの着衣に引っかかるといった不具合が生じることがない。なお、本実施の形態では、手摺棒２００および壁面３００に手摺用ブラケット１００を固着させるためにねじ１２およびねじ３２を用いたが、これら以外の部材で固着させてもよく、例えばネジのかわりに釘等を用いてもよい。
【００４６】
以上、本考案の実施形態について説明した。実施形態に係る手摺用ブラケット１００は、ユーザが握りやすく、十分な強度を有し、デザイン性が高く、さらに低コストで作製できる。さらに、手摺棒２００および壁面３００と固着させるためのねじ等の部材が外部に露呈することがない。
【００４７】
また、上記実施形態に係る手摺用ブラケット１００は、手摺棒２００が設置された際に壁面３００に当接する端面３ａが、曲部２に含まれている。このため、壁面３００に手摺用ブラケット１００が固着された状態で、手摺用ブラケット１００は壁面３００に対して略垂直に伸びることはなく、壁面３００に対して斜め方向に伸びることになる。これにより、壁面３００における手摺用ブラケット１００の設置個所近傍の空間における手摺用ブラケット１００の占めるスペースが少ない。したがって、手摺用ブラケット１００の設置個所近傍に障害物がある場合であっても、手摺用ブラケット１００を設置できる可能性がある。つまり、手摺用ブラケット１００の設置個所の自由度が増す。
【００４８】
また、手摺用ブラケット１００は、壁面３００から垂直に伸びないことから、手摺用ブラケット１００と壁面３００との間の空間が狭くなるが、上述したように、曲部２の断面形状が、曲部２が曲がる方向に沿った短軸を有する略楕円形であることから、実際にはそれほど狭くならず、ユーザが手摺用ブラケット１００を握るには十分な空間を確保できる。
【００４９】
また、手摺用ブラケット１００は握りやすいだけでなく、特徴的な形状であるため、例えば停電になった場合等、なんらかの理由でユーザの視界が制限された場合であっても、手探りで容易に手摺用ブラケット１００を見つけることができるという効果も有する。
【００５０】
本実施形態では、端面３ａを略楕円形としたが、図１０に示すように端面３ａを略円形としてもよい。なお、図１０は、本考案の他の実施形態に係る手摺用ブラケットの構成を示す斜視図である。他の実施形態に係る手摺用ブラケット１０１において、端面３ａを略円形とすることで、手摺用ブラケット１０１と壁面３００との固着の強度および安定性が増加するという効果を奏する。
【００５１】
なお、上記実施形態において具体的に示した、部品の形状や構造は、あくまでも一例であり、本考案はこれらの具体例のみに限定されるものではない。
【符号の説明】
【００５２】
１              係合部
２              曲部
１ａ、３ａ      端面
４              カバー部
１１、３１      貫通孔
１２、３２      ねじ
１５            凹部
２１            空洞部
２３            中心軸
２４            断面
１００、１０１  手摺用ブラケット
２００          手摺棒
３００          壁面
【図１】
0003185805.tif 000003
【図２】
0003185805.tif 000004
【図３】
0003185805.tif 000005
【図４】
0003185805.tif 000006
【図５】
0003185805.tif 000007
【図６】
0003185805.tif 000008
【図７】
0003185805.tif 000009
【図８】
0003185805.tif 000010
【図９】
0003185805.tif 000011
【図１０】
0003185805.tif 000012